(57)【要約】　【課題】　ドット反転の駆動を用いて、パネルにライン反転の駆動に空間的に類似したビデオ信号極性の配置を提示する。【解決手段】　本発明の液晶ディスプレイパネルは、複数のスキャン電極及びそれに交差する複数のデータ電極、複数のディスプレイユニットを含み、各ディスプレイユニットは、交差したスキャン電極とデータ電極に対応し、ピクセル電極とコントロールトランジスタを有している。そして、隣接した第１スキャン電極と第２スキャン電極間に並んだ２つの隣接したディスプレイユニットのコントロールトランジスタのゲートが、それぞれ第１スキャン電極と第２スキャン電極に接続され、２つの隣接したデータ電極間に並んだ２つの隣接したディスプレイユニットのコントロールトランジスタのゲートは、同じスキャン電極に接続されないものとしてある。【選択図】　図５
2004139078.tif 000002
【特許請求の範囲】
【請求項１】
複数のスキャン電極とこれに交差する複数のデータ電極と有し、
　交差した前記スキャン電極と前記データ電極とにそれぞれ対応し、ピクセル電極及びコントロールトランジスタを有する複数のディスプレイユニットとを備える液晶ディスプレイパネルにおいて、
隣接した第１スキャン電極と第２スキャン電極間の列にある、２つの隣接したディスプレイユニットのコントロールトランジスタのゲートが、それぞれ前記第１スキャン電極と前記第２スキャン電極に接続され、
前記液晶ディスプレイパネルのフレームでドット反転駆動が完了した時、フレームの同じ列にある全てのディスプレイユニットは同じビデオ信号極性を有し、
フレーム中における隣接した２つの列にあるディスプレイユニットは互いに相反する極性を表示させることにより、
ドット反転駆動を用いながら、液晶ディスプレイパネルにライン反転駆動に類似したビデオ信号極性の配置を実現することによって、ブラックマトリックスの必要面積を減少させ、パネルの透過率を高め、クロストークを減少することを特徴とする液晶ディスプレイパネル。
【請求項２】
隣接した２つの前記データ電極間に並んだ２つの隣接したディスプレイユニットにおけるコントロールトランジスタのゲートは、異なるスキャン電極に接続されたものである請求項１に記載の液晶ディスプレイパネル。
【請求項３】
各ディスプレイユニットにおける液晶コンデンサを構成する各画素電極は、共通電極に接続されたものである請求項１又は請求項２に記載の液晶ディスプレイパネル。
【請求項４】
複数のスキャン電極とこれに交差する複数のデータ電極と有し、
交差した前記スキャン電極と前記データ電極とにそれぞれ対応し、ピクセル電極及びコントロールトランジスタを有する複数のディスプレイユニットとを備える液晶ディスプレイパネルの駆動方法であって、
隣接した第１スキャン電極と第２スキャン電極間の列にある、２つの隣接したディスプレイユニットのコントロールトランジスタのゲートが、それぞれ前記第１スキャン電極と前記第２スキャン電極に接続された液晶ディスプレイパネルを構成するステップと、
前記液晶ディスプレイパネルのフレームにドット反転駆動を行うステップ、
前記液晶ディスプレイパネルのフレームでドット反転駆動が完了した時に、フレームの同じ列にある全てのディスプレイユニットを同じビデオ信号極性にするとともに、フレーム中における隣接した２つの列にあるディスプレイユニットが互いに相反する極性を表示するステップと、を含み
ドット反転駆動を用いながら、液晶ディスプレイパネルにライン反転駆動に類似したビデオ信号極性の配置を実現することによって、ブラックマトリックスの必要面積を減少させ、パネルの透過率を高め、クロストークを減少することを特徴とする液晶ディスプレイパネルの駆動方法。
【請求項５】
隣接した２つのデータ電極間に並んだ２つの隣接したディスプレイユニットのコントロールトランジスタのゲートを、異なるスキャン電極に接続する請求項４に記載の液晶ディスプレイパネルの駆動方法。
【発明の詳細な説明】
【技術分野】
【０００１】
　本発明は、液晶ディスプレイパネル（以下場合によりＬＣＤパネルと略す）とその駆動方法に関し、特に、ＬＣＤパネルにドット反転（ｄｏｔ　ｉｎｖｅｒｓｉｏｎ）駆動を用いて、ライン反転（ｌｉｎｅ　ｉｎｖｅｒｓｉｏｎ）形態でビデオ信号極性の配置を獲得すること、およびＬＣＤパネルの駆動方法に関するものである。
【背景技術】
【０００２】
　図１は、従来の薄膜フィルムトランジスタの液晶ディスプレイ（ＴＦＴ−ＬＣＤ）の等価回路図である。図1に見られるように、交差したデータ電極Ｄ１，Ｄ２，Ｄ３，…，Ｄｙとスキャン電極Ｇ１，Ｇ２，…，Ｇｘとは、ＬＣＤパネル１を形成する。各交差したデータＤｙとスキャン電極Ｇｘはディスプレイユニットをコントロールする。例えば、交差したデータ電極Ｄ１とスキャン電極Ｇ１はディスプレイユニット１００をコントロールする。ディスプレイユニット１００或いは他のディスプレイユニットは、いずれもコントロールするための薄膜フィルムトランジスタ１０を含む等価回路を有している。蓄積コンデンサＣｓと液晶コンデンサＣｌｃは画素と共通電極によって形成されている。トランジスタ１０のゲートとドレインは、スキャン電極Ｇ１とデータ電極Ｄ１にそれぞれ接続され、スキャン電極Ｇ１上のスキャン信号を通してトランジスタ１０のオン／オフ状態をコントロールし、データ電極Ｄ１にあるビデオ信号をディスプレイユニット１００に書き込むことができる。
【０００３】
スキャンドライバ３は、スキャンコントロール信号にしたがって、順次的に各スキャン電極Ｇ１、Ｇ２…またはＧｘにスキャン信号を出力し、ディスプレイユニットの一列上にある全てのトランジスタをオンにし、同時に他の列上にある全てのトランジスタをオフにすることができる。トランジスタが完全にオンにされた時、データドライバ２は表示されるイメージデータにしたがって、データ電極Ｄ１、Ｄ２、…Ｄｙを通って対応するビデオ信号、グレー値を前記列のｙ個ディスプレイユニットに送る。ｘスキャンラインがスキャンドライバ３によって一度に完全にスキャンされた時、パネルにイメージフレームを表示する。したがって、全てのスキャンラインは、パネルのフレームからフレームで表示するために繰り返しスキャンされ、ビデオ信号を送ることによってイメージディスプレイを達成する。
【０００４】
データ電極Ｄ１、Ｄ２、…Ｄｙにあるビデオ信号は、共通電極電圧Ｖｃｏｍの間との関係によって、一般的に正極性ビデオ信号と負極性ビデオ信号に分けることができる。更に、ＴＦＴ−ＬＣＤで単一のディスプレイユニットを駆動する方法として、プラスのフレームとマイナスのフレームはそれぞれ互いに相反する極性のビデオ信号を受ける。こうして液晶分子が、製品の寿命を減少させる同じ極性の電場だけによって偏らないようになる。
【０００５】
異なる極性のビデオ信号によると、ディスプレイユニットにおけるフレーム配置の共通のタイプは、ライン反転とドット反転がある。図２（Ａ）は、ライン反転の形態でディスプレイユニットより受けたビデオ信号の極性の回路図である。図２では、左側は奇数フレームで、データ電極Ｄｎ−１、Ｄｎ、Ｄｎ+１、および奇数フレームにあるスキャン電極Ｇｍ−１、Ｇｍ、Ｇｍ+１のビデオ信号極性に定義されたパネルエリア内のディスプレイユニットから受けたビデオ信号極性を有しており、右側は偶数フレームで、データ電極Ｄｎ−１、Ｄｎ、Ｄｎ+１、およびスキャン電極Ｇｍ−１、Ｇｍ、Ｇｍ+１のビデオ信号極性に定義されたパネルエリア内のディスプレイユニットから受けたビデオ信号極性を有している。図２（Ａ）に見られるように、例えばＧｍといった同一列にあるディスプレイユニットは同じ極性のビデオ信号を受け、また、Ｇｍ−１とＧｍ+１といった２つの隣接したディスプレイユニットは、列Ｇｍに相反した極性のビデオ信号を受ける。
【０００６】
図２（Ｂ）は、ドット反転の形態でディスプレイユニットより受けたビデオ信号極性の回路図である。図２（Ａ）では、各ディスプレイユニットは取り囲んでいるディスプレイユニットと相反した極性を有している。つまり、ビデオ信号は、プラスとマイナス極性が交差して配置されている（例えば特許文献１参照）。
【特許文献１】特開２００２−１８２６２４号公報
【０００７】
図３は、従来のＬＣＤパネルの一部の回路図である。図３では、回路はデータ電極Ｄｎ−１、Ｄｎ、Ｄｎ+１、スキャン電極Ｇｍ−１、Ｇｍ、Ｇｍ+１および対応するディスプレイユニットを含んでいる。スキャン電極Ｇｍ−１がスキャン信号を受けた時、電極Ｇｍ−１に接続されたＴＦＴｓは、点灯され、データ電極Ｄｎ−１、Ｄｎ、Ｄｎ+１上のビデオ信号は、それぞれ対応するディスプレイユニットの画素電極Ｐ１、Ｐ２、Ｐ３に結合される。
【０００８】
ビデオ信号極性がドット反転で配置された時、図４（Ａ）に見られるように隣接した画素の間で電場が分布する。ビデオ信号極性がライン反転で配置された時、図４（Ｂ）に見られるように隣接した画素の間で電場が分布する。図４（Ａ）と（Ｂ）の４０、４２はＬＣＤパネルの前と後の基板を表している。符号Ｂｘは、ブラックマトリックス（ｂｌａｃｋ　ｍａｔｒｉｘ）を表し、符号Ｅ_Ｖｃｏｍは共通電極を表し、Ｄｎ、Ｄｎ+１はデータ電極を表し、またＰ１〜Ｐ３は画素電極を表している。この図４において、４０と４２の基板間の矢印は電場の分布を表している。
【０００９】
図４（Ａ）に見られるように、ドット反転が駆動している間、隣接する画素の間の端（例えばＰ１とＰ２のインターフェースとＰ２とＰ３のもう一つのインターフェース）に電場変形を表す。これらの変形したラインはディスプレイフレームで光の漏出を引き起こすことになる。したがって、より高いディスプレイ品質のために、ブラックマトリックスで漏出部分をカバーする。しかし、ブラックマトリックスを使用した部分は画素が使用する面積が縮小されることから透過率が減少することになる。
【００１０】
図４（Ｂ）に見られるように、ライン反転が駆動している間、同じ列にある各２つの隣接した画素は、同じ極性（例えば“＋”）を有する。したがって、隣接する画素の間の端（例えばＰ１とＰ２のインターフェースとＰ２とＰ３のもう一つのインターフェース）に図４（Ａ）に比べて少ない電場変形を表す。このデザインでの必要とされるブラックマトリックスの面積は少なくなり、相対的に画素の使用できる面積が増大され、よってパネルの透過率が高まることになる。しかし、ライン反転が駆動している間、データバスと画素および共通電極の間のカップリング（ｃｏｕｐｌｉｎｇ）は、ディスプレイフレームに容易にクロストークを引き起こす。
【発明の開示】
【発明が解決しようとする課題】
【００１１】
本発明の目的は、ドット反転駆動法を用いながら、液晶ディスプレイパネルにライン反転駆動に類似したビデオ信号極性の配置を実現することによって、ブラックマトリックスの必要面積を減少させ、パネルの透過率を高め、クロストークが減少される液晶ディスプレイパネル及びその駆動方法を提供するものである。
【課題を解決するための手段】
【００１２】
　上記課題を解決するために、本発明は、複数のスキャン電極とこれに交差する複数のデータ電極と有し、交差した前記スキャン電極と前記データ電極とにそれぞれ対応し、ピクセル電極とコントロールトランジスタとを有する複数のディスプレイユニットを備える液晶ディスプレイパネルにおいて、隣接した第１スキャン電極と第２スキャン電極間の列にある、２つの隣接したディスプレイユニットのコントロールトランジスタのゲートが、それぞれ前記第１スキャン電極と前記第２スキャン電極に接続され、前記液晶ディスプレイパネルのフレームでドット反転駆動が完了した時、フレームの同じ列にある全てのディスプレイユニットは、同じビデオ信号極性を有しフレーム中における隣接した２つの列にあるディスプレイユニットは、互いに相反する極性を表示させるものとした。
【００１３】
本発明の液晶ディスプレイパネルによれば、ドット反転駆動法を用いながら、液晶ディスプレイパネルにライン反転駆動に類似したビデオ信号極性の配置を実現することができ、ブラックマトリックスの必要面積を減少させ、パネルの透過率を高め、さらには、クロストークを減少することが可能となる。
【００１４】
　本発明の液晶ディスプレイパネルでは、隣接した２つの前記データ電極間に並んだ２つの隣接したディスプレイユニットにおけるコントロールトランジスタのゲートは、異なるスキャン電極に接続されることが望ましい。
【００１５】
　また、各ディスプレイユニットにおける液晶コンデンサを構成する各画素電極は共通電極に接続されたものが望ましい。
【００１６】
　本発明の液晶ディスプレイパネルでは、隣接した第１スキャン電極と第２スキャン電極間の列にある、２つの隣接したディスプレイユニットのコントロールトランジスタのゲートが、それぞれ前記第１スキャン電極と前記第２スキャン電極に接続された液晶ディスプレイパネルを構成するステップと、前記液晶ディスプレイパネルのフレームにドット反転駆動を行うステップ、前記液晶ディスプレイパネルのフレームでドット反転駆動が完了した時に、フレームの同じ列にある全てのディスプレイユニットを同じビデオ信号極性にするとともに、フレーム中における隣接した２つの列にあるディスプレイユニットが互いに相反する極性を表示するステップと、を含む駆動方法を行うことにより、ドット反転駆動を用いながら、液晶ディスプレイパネルにライン反転駆動に類似したビデオ信号極性の配置を実現し、ブラックマトリックスの必要面積を減少させ、パネルの透過率を高め、クロストークを減少することが可能となる。
【００１７】
本発明の液晶ディスプレイパネルの駆動方法においても、隣接した２つのデータ電極間に並んだ２つの隣接したディスプレイユニットのコントロールトランジスタのゲートを、異なるスキャン電極に接続することが好ましいものである。
【発明の効果】
【００１８】
本発明によれば、ドット反転駆動を用いながら、液晶ディスプレイパネルにライン反転駆動に類似したビデオ信号極性の配置を実現し、ブラックマトリックスの必要面積を減少させ、パネルの透過率を高め、クロストークを減少することが可能となる。
【発明を実施するための最良の形態】
【００１９】
本発明についての目的、特徴、長所が一層明確に理解されるよう、以下に実施形態を例示し、図面を参照にしながら、詳細に説明する。
【００２０】
　図５は、本発明に基づいた液晶ディスプレイパネルの回路図である。本発明の液晶ディスプレイ（以下、場合によりＬＣＤと称す）パネルは、主にＬＣＤパネルにおけるディスプレイユニットのカップリング配置を変更することで駆動できる。すなわち、同じ列にある２つの隣接したディスプレイユニットのコントロールトランジスタのゲートをそれぞれ第１スキャン電極と第２スキャン電極に接続させることによって、図５に示すようなＬＣＤパネルの構造を得ることができる。次に、ＬＣＤパネルのディスプレイユニットにドット反転駆動が行われる。そして、ドット反転駆動がＬＣＤパネルのフレームで完了した時、フレームの同じ列にある全てのディスプレイユニットは、同じビデオ信号極性を有し、フレームの２つの隣接した列にあるディスプレイユニットは、互いに相反する極性を表示することになる。
【００２１】
図５を参照すると、ＬＣＤパネルは、複数のスキャン電極（Ｇ１、Ｇ２、…Ｇｍ−１、Ｇｍ）、複数のデータ電極（Ｄ１、Ｄ２、Ｄ３、…Ｄｎ−１、Ｄｎ）、複数のディスプレイユニット、および共通電極Ｖｃｏｍを含む。各ディスプレイユニット５０は、交差したスキャンとデータ電極とに対応し、ピクセル電極ＰｘとコントロールトランジスタＴｘを有している。第１と第２の隣接したスキャン電極の間の列にある２つの隣接したディスプレイユニットのコントロールトランジスタのゲートは、それぞれ第１スキャン電極と第２スキャン電極に接続される。共通電極は、各ディスプレイユニットに対応する液晶コンデンサＣｌｃと蓄積コンデンサＣｓを構成するために各画素電極５０に接続される。
【００２２】
本発明のＬＣＤパネル構造の特徴は、第１と第２の隣接したスキャン電極間並んだ２つの隣接したディスプレイユニットのコントロールトランジスタのゲートを、それぞれ第１スキャン電極と第２スキャン電極に接続し、２つの隣接したデータ電極間に並んだ２つの隣接したディスプレイユニットのコントロールトランジスタのゲートを、同じスキャン電極に接続させていないことにある。例えば、ディスプレイユニットＰ１のコントロールトランジスタＴｘ１のゲートは、スキャン電極Ｇ２に接続され、ディスプレイユニットＰ２のコントロールトランジスタＴｘ２のゲートＧ３は、スキャン電極Ｇ３に接続される。
【００２３】
図５を参照し、スキャン電極Ｇ２、Ｇ３を例にすると、その列のディスプレイユニットＰ１、Ｐ２、Ｐ３、…、Ｐｎ−１、ＰｎはＧ２とＧ３の間に配置されている。ディスプレイユニットＰ１のコントロールトランジスタＴｘ１のゲートは、スキャン電極Ｇ１に接続され、ディスプレイユニットＰ３のコントロールトランジスタＴｘ３のゲートは、スキャン電極Ｇ２に接続されている。ディスプレイユニットＰｎ−１のコントロールトランジスタＴｘｎ−１のゲートは、スキャン電極Ｇ３に接続され、ディスプレイユニットＰｎのコントロールトランジスタＴｘｎのゲートは、スキャン電極Ｇ２に接続されている。このような配置によって、ディスプレイユニットＰ１〜Ｐｎ中の任意の隣接した２つのディスプレイユニットにおけるコントロールトランジスタのゲートは、それぞれスキャン電極Ｇ２（第１電極）とＧ３（第２電極）に接続される。
【００２４】
　図６は、本発明に基づいた図５の部分的なフレームの回路図である。部分的なフレームは、データ電極Ｄｙ−１、Ｄｙ、Ｄｙ＋１、スキャン電極Ｇｘ−１、Ｇｘ、Ｇｘ＋１とコントロールトランジスタM１〜M９とピクセル電極Ｐｘ１〜Ｐｘ９を含み、ディスプレイユニットに対応する。図７（Ａ）〜（Ｄ）は、ドット反転の形態で、スキャン信号が順次的にスキャン電極Ｇｘ−１〜Ｇｘ＋１に送られた時のフレーム内における各ピクセル電極のビデオ信号極性の配置を示す回路図である。以下、図６および図７（Ａ）〜（Ｄ）を参照に、ドット反転駆動を用いて本発明のＬＣＤパネルのフレームでライン反転の配置を得る説明をする。
【００２５】
始めに、パネルはドット反転で駆動される。スキャン信号がスキャン電極Ｇｘ−１へ送られた時、ＴＦＴのＭ１〜Ｍ３は点灯される。データ電極Ｄｙ−１、Ｄｙ、Ｄｙ＋１は、その後ビデオ信号（その極性は、それぞれ“＋”“−”“＋”である）を出力し、それぞれ画素電極Ｐｘ１〜Ｐｘ３に接続される。その結果のフレームでのビデオ信号極性の配置は図７（Ａ）に示している。
【００２６】
　次に、スキャン信号がスキャン電極Ｇｘへ送られた時、ＴＦＴｓ　Ｍ４〜Ｍ６は点灯される。データ電極Ｄｙ−１、Ｄｙ、Ｄｙ＋１は、その後ビデオ信号（その極性は、それぞれ“−”“＋”“−”である）を出力し、それぞれ画素電極Ｐｘ４〜Ｐｘ６に接続される。その結果のフレームでのビデオ信号極性の配置は図７（Ｂ）に示している。
【００２７】
　次に、スキャン信号がスキャン電極Ｇｘ+１へ送られた時、ＴＦＴのＭ７〜Ｍ９は点灯される。データ電極Ｄｙ−１、Ｄｙ、Ｄｙ＋１は、その後ビデオ信号（その極性は、それぞれ“＋”“−”“＋”である）を出力し、それぞれ画素電極Ｐｘ７〜Ｐｘ９に接続される。その結果のフレームでのビデオ信号極性の配置は図７（Ｃ）に示している。
【００２８】
　次に、スキャン信号がスキャン電極Ｇｘ+２（未表示）へ送られた時、Ｇｘ＋２に関するＴＦＴｓは点灯される。データ電極Ｄｙ−１、Ｄｙ、Ｄｙ＋１は、その後ビデオ信号（その極性は、それぞれ“−”“＋”“−”である）を出力し、それぞれ対応する画素電極に接続される。その結果のフレームでのビデオ信号極性の配置は図７（Ｄ）に示している。その中の点線の“＋”と“−”印は現在書き込まれているビデオ信号極性を示している。
【００２９】
図７（Ｄ）に見られるように、その結果のフレームでの画素電極Ｐｘ１〜Ｐｘ９上のビデオ信号極性の配置は、ライン反転極性の配置を表している。このため、図４（Ｂ）に示したように、２つの隣接した画素の間の端は、図４（Ａ）よりも少ない電場変形を有することになる。したがって、ブラックマトリックスＢｘの面積はデザインによって減少され、相対的にピクセルに使用できる面積が増大し、パネルの透過率が増加することになる。
【００３０】
　更に、ドット反転駆動を用いるために、データバスの正極性と負極性は、それぞれ半分にされ、そのためデータバスと画素電極Ｐｘと共通電極Ｖｃｏｍの間のカップリングは、正と負の極性の相殺からクロストークを引き起こさなくなる。
【００３１】
以上のように、本発明は、新しいＬＣＤパネルの構造を提供するもので、ドット反転駆動を用いて、ＬＣＤパネルにライン反転駆動に類似したビデオ信号極性の配置を実現することによって、ブラックマトリックスの必要面積が減少し、それによって、パネルの透過率が高まり、クロストークが減少される。
【００３２】
　以上、本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００３３】
【図１】従来の薄膜フィルムトランジスタの液晶ディスプレイ（ＴＦＴ−ＬＣＤ）の等価回路の回路図である。
【図２】ライン反転の形態でディスプレイユニットより受けたビデオ信号の極性の回路図である。
【図３】従来のＬＣＤパネルの一部の回路図である。
【図４】ビデオ信号極性がドット反転で配置された時、隣接した画素の間で電場が分布する回路図である。
【図５】本発明に基づいた液晶ディスプレイパネルの回路図である。
【図６】本発明に基づいた図５のフレームの一部の回路図である。
【図７】ドット反転の形態で、スキャン信号が順次的にスキャン電極Ｇｘ−１〜Ｇｘ＋１に送られた時のフレームでの各ピクセル電極のビデオ信号極性の配置を示す回路図である。
【符号の説明】
【００３４】
１　液晶ディスプレイパネル　
２　データドライバ
３　スキャンドライバ
１０　薄膜トランジスタ
ＴＦＴ１〜３　薄膜トランジスタ
Ｄ１、Ｄ２…Ｄｎ　データ電極
Ｇ１、Ｇ２…Ｇｍ　スキャン電極
Ｐ１〜３　ディスプレイ電極
４０、４２　液晶ディスプレイパネルの前方、後方基板
Ｂｘ　ブラックマトリックス（ｂｌａｃｋ　ｍａｔｒｉｘ）
Ｅ_Ｖｃｏｍ　共通電極
５０　ディスプレイユニット
Ｔｘ　コントロールトランジスタ
Ｖｃｏｍ　共通電極
Ｃｌｃ　液晶コンデンサ
Ｃｓ　蓄積コンデンサ
Ｐ１−Ｐｎ　ディスプレイユニット
Ｔｘｌ−Ｔｘｎ　コントロールトランジスタ
Ｄｙ−１、Ｄｙ、Ｄｙ＋１　データ電極
Ｇｘ−１、Ｇｘ、Ｇｘ＋１　スキャン電極
Ｍ１−Ｍ９　コントロールトランジスタ
Ｐｘ１−Ｐｘ９　画素電極
【図１】
2004139078.tif 000003
【図２】
2004139078.tif 000004
【図３】
2004139078.tif 000005
【図４】
2004139078.tif 000006
【図５】
2004139078.tif 000007
【図６】
2004139078.tif 000008
【図７】
2004139078.tif 000009